(57)【特許請求の範囲】
【請求項１】
排水を受けると共に上方に開口が形成された受け部材１と、
前記受け部材１の側面に設けられる排水排出口４と、
前記受け部材１の開口を覆う蓋部材２と、
前記蓋部材２に形成される排水流入口３と、
から構成されるとともに、排水トラップ機能を有する排水器において、
排水流入口３から排水排出口４に至る流路に連通するように排水流入口３とは異なる排水系統からの排水が流入する別流路６を受け部材１内に設け、別流路内に排水トラップ機能が付与されると共に、
前記蓋部材２の内面側が形成する別流路６の天井面であって、前記排水トラップ機能を形成する部分に、当該流路の天井面から流路内に突出する、封水水面に達しない一つ又は複数のリブ５を設けたことを特徴とする排水器。
【請求項２】
上記請求項１に記載の排水器において、別流路６が排水器に一体に構成されてなることを特徴とする排水器。
【請求項３】
上記請求項１又は請求項２に記載の排水器において、
排水流入口３から排水排出口４に至る流路にトラップ機能が付与されてなることを特徴とする排水器。
【請求項４】
上記請求項１乃至請求項３のいずれか一つに記載の排水器において、
排水排出口４以外へ向かう排水を排水排出口４方向へ補正するようにリブ５が設けられていることを特徴とする排水器。
【請求項５】
上記請求項１乃至請求項４のいずれか一つに記載の排水器において、
リブ５の設置方向が排水の流れ方向に対して平面視略垂直となる方向に設けられていることを特徴とする排水器。
【請求項６】
上記請求項１乃至請求項５のいずれか一つに記載の排水器において、
下流側に向かうほど下流方向に傾斜するようにリブ５が設けられていることを特徴とする排水器。
【請求項７】
上記請求項１乃至請求項６のいずれか一つに記載の排水器において、
少なくとも一つのリブ５が排水排出口４付近に設けられると共に、
排水排出口４の上縁に向けて傾斜するように構成されていることを特徴とする排水器。
【発明の詳細な説明】
【技術分野】
【０００１】
本発明は、排水の流れを調節することで排水の良好な排出を図った排水器に関する。
【背景技術】
【０００２】
排水トラップ等の排水器に関して、一つの排水流入口より排水を受け止めて排水排出口より排水を下水管側へ排出させる場合がある。この時、排出される排水の勢いが強いと、その勢いにより下水管側の配管より負圧が生じ、排水器内やその付近の排水や空気が下水管側へ引き込まれることによって排出される場合がある。排水が終了すると、引き込みも徐々に弱まり終息する。しかし、排水器内の排水は引き込みによって下水管に流れ出し減少するため、排水器が例えば排水トラップ等、封水を必要とするものであった場合、排水トラップ内に設けられる封水が排出されることによって、破封が起きるおそれがある。これにより、下水管側と屋内側が通気するため、下水管側からの臭気や害虫等が進入することを防止できなくなる。また、高層マンション等の集合住宅では、各部屋の配管は最終的に、建物を上下に貫く縦配管に接続されている場合がほとんどである。このため、上層階で勢いよく排水が行われると、それによって生じた負圧により下層階の排水トラップが破封するという、誘導サイホン現象が生じていた。
また、例えば浴室からの排水を処理する場合に、浴槽からの排水と洗い場からの排水をそれぞれ排水流入管によって排水器に導き、排水処理を行うものがある。つまり、一つの排水器で複数方向からの排水を排水処理する場合もある。
その場合、例えば浴槽からの排水が大量に排水されると、排水器内に流入する排水に対し、下水管に向けて排水排出口からの排水の排出が追いつかず、洗い場側の排水口に排水が溢れ出すというような逆流現象が起こる場合があった。
そこで従来より、排水の逆流等を防止するために排水の流れを調節する工夫が施されてきた。
例えば、特開２００１−１５２５０８は、排水を受け止める溜水室内と排水を溜水室内へ導く排水流入管内との圧力差で閉鎖または開放する弁等を設けることによって、逆流を防ぐ構造としている。これは、排水の水圧が排水流入管側よりも溜水室側の方が高ければ弁等が閉鎖される仕組みとなっており、溜水室に複数の排水流入管が設けられ、複数の排水部材に対応する場合に、ある部材からの排水を他の部材へ逆流させない構造となっている。このため、例えば浴室からの排水を処理する場合には、洗い場側から大量の排水がなされてもその排水は浴槽側等の他の器具側へ逆流しない構造となっている。
【特許文献１】特開２００１−１５２５０８
【発明の開示】
【発明が解決しようとする課題】
【０００３】
しかし、上記特開２００１―１５２５０８に記載された構造では、排水に混入したゴミや髪の毛等が弁等に絡まった場合、弁等の動きが悪くなり、十分な逆流防止の機能を発揮できなくなる可能性がある。さらに弁等が設けられた部分でゴミ等が詰まれば、排水流入管から排水器への排水の流れが悪くなるおそれがある。さらに、従来の排水器は、蓋部材と受け部材を接着するために、接着しろが設けられている。この接着しろがあるために排水排出口付近では、排水の上方に空気溜まりがあった。このため、排水排出口から流れ出る排水には空気が混入し、排水の流れの障害となっていた。本発明は上記課題を解決するためになされたもので、本発明の目的は、簡単な構造であって、排水の勢いを調節することで排水をスムーズに行ったり、又は逆流等の不都合を防止する排水器を提供することである。
【課題を解決するための手段】
【０００４】
請求項１に記載の排水器は、排水を受けると共に上方に開口が形成された受け部材１と、
前記受け部材１の側面に設けられる排水排出口４と、
前記受け部材１の開口を覆う蓋部材２と、
前記蓋部材２に形成される排水流入口３と、
から構成されるとともに、排水トラップ機能を有する排水器において、
排水流入口３から排水排出口４に至る流路に連通するように排水流入口３とは異なる排水系統からの排水が流入する別流路６を受け部材１内に設け、別流路内に排水トラップ機能が付与されると共に、
前記蓋部材２の内面側が形成する別流路６の天井面であって、前記排水トラップ機能を形成する部分に、当該流路の天井面から流路内に突出する、封水水面に達しない一つ又は複数のリブ５を設けたことを特徴とする排水器である。
【０００５】
請求項２に記載の発明は、上記段落０００４に記載の排水器において、別流路６が排水器に一体に構成されてなることを特徴とする排水器排水器である。
【０００６】
請求項３に記載の発明は、上記段落０００４又は段落０００５に記載の排水器において、
排水流入口３から排水排出口４に至る流路にトラップ機能が付与されてなることを特徴とする排水器である。
【０００７】
請求項４に記載の発明は、段落０００４乃至段落０００６のいずれか一つに記載の排水器において、排水流入口３から排水排出口４に至る流路にトラップ機能が付与されてなることを特徴とする排水器である。
【０００８】
請求項５に記載の発明は、段落０００４乃至段落０００７のいずれか一つに記載の排水器において、
リブ５の設置方向が排水の流れ方向に対して平面視略垂直となる方向に設けられていることを特徴とする排水器記載の排水器において、排水排出口４以外へ向かう排水を排水排出口４方向へ補正するようにリブ５が設けられていることを特徴とする排水器別流路６内にトラップ機能が付与されてなることを特徴とする排水器である。
【０００９】
請求項６に記載の発明は、段落０００４乃至段落０００８のいずれか一つに記載の排水器において、下流側に向かうほど下流方向に傾斜するようにリブ５が設けられていることを特徴とする排水器リブ５の設置方向が排水の流れ方向に対して平面視略垂直となる方向に設けられていることを特徴とする排水器である。
【００１０】
請求項７に記載の発明は、段落０００４乃至段落０００９のいずれか一つに記載の排水器において、少なくとも一つのリブ５が排水排出口４付近に設けられると共に、排水排出口４の上縁に向けて傾斜するように構成されていることを特徴とする排水器である。
【発明の効果】
【００１１】
本発明においては、簡単な構造であって、排水の流れを調節することにより、排水の良好な排出が行える効果を奏する。
請求項１に記載の発明においては、別流路６を設けた場合に、別流路６からの引き込みを防止すると共に、特に一方の流路に一時的に大量の排水が行われた場合に、他方の流路に対し他方の流路に排水が流入することによる逆流現象を防止または低減する効果を奏する。
また、別流路６にトラップ機能が設けられた場合に、引き込みによるトラップの破封を防止する効果を奏する。
特に、請求項２に記載したように、別流路６が排水器内に構成されていると、流路間の距離が近い分、引き込みの負圧や逆流の可能性も高くなることから、本発明のような引き込み圧の低減や逆流が発生し難い機構を利用するのに好適といえる。
請求項３に記載の発明においては、排水流入口３から排水排出口４に至る流路にトラップ機能が設けられた場合に、自己サイホンによる破封を防止する効果を奏する。
請求項４に記載の発明においては、リブ５が排水の流れを排水排出口方向に補正することによって、排水の流れが乱れること無く、円滑に排水される効果を奏する。
請求項５に記載の発明においては、リブ５の設置方向が排水の流れ方向に対して平面視略垂直となる方向に設けられることによって、特に排水の流れを効率的に制限する効果を奏する。
請求項６に記載の発明においては、リブ５が下流方向に傾斜することによって、排水排出口方向４に向かう排水は傾斜に沿って円滑に排出され、さらに、排水排出口４から受け部材１内又は排水流入口３方向に逆流する排水に対しては、効率的に排水の流れを制限する効果を奏する。
請求項７に記載の発明においては、排水排出口４付近のリブ５を排水排出口４の上縁に向けて傾斜するように構成されることによって、特に排水が排水排出口４より排出される際に排水排出口４付近で空気溜まりが発生することを防止する効果を奏する。
【発明を実施するための最良の形態】
【００１２】
以下に本発明の第一実施例について記載する。
図１から図４に図示したように、本発明の第一実施例における排水器は浴室に取り付けられる排水トラップ機能付きの排水器である。浴室は浴槽と洗い場とからなり、使用者が入浴する浴槽の底面には浴槽排水口が、使用者が身体を洗うなどする洗い場の底面には洗い場排水口がそれぞれ設けられてなる。また、第一実施例における排水器は、内部に洗い場排水口より排水される排水を処理する流路（以下「本流路」と記載）と、浴槽排水口から排水される排水を処理する流路（以下「別流路６」と記載）とを備えてなり、下記に記載した各部材から構成される。
尚、トラップ機能とは、排水流路中に封水と呼ばれる排水溜まり部分を備えることで、下水側から屋内側に臭気や害虫類の侵入を防止する機能である。
受け部材１は上方に開口が備えられた略わん型の部材であって、内部には本流路と別流路６に流路を分けるための仕切り壁を備え、また側面には排水を排出するための排水排出口４と別流路６に連通して浴槽からの排水を流入させるための接続部７をそれぞれ備えてなる。尚、本流路と別流路６は、排水排出口４の付近で合流してなる。
蓋部材２は受け部材１の上方の開口を覆うように取り付けられ、排水流入口３となる洗い場側からの排水が流入するための孔が設けられている。また、蓋部材２の内側には、蓋部材２と受け部材１を取り付けた際に別流路６上にくる位置において、排水流入口３の外周から複数のリブ５が別流路６における排水の進行方向に対し平面視略垂直となる方向に設けられている。
上記した排水器では、排水流入口３から排水排出口４までが洗い場の排水を処理する本流路であり、浴槽の排水口から接続部７を介して排水排出口４までが浴槽の排水を処理する別流路６となる。
更に、本流路では、排水流入口３から筒状の部材が垂下され、この筒状の部材の下端が、排水排出口４の下端より下の位置にくるよう構成されてなる。排水器の使用によって排水排出口４の下端の高さまで排水が溜まることで、排水流入口３と下水管側とが通気しなくなるため、臭気の屋内側への逆流を防止する、排水トラップとしての機能を果たすことになる。
また、別流路６では、流路内において、接続されている浴槽の排水口の近くが低く、排水排出口４へ至るにつれて上昇するような傾斜構造によって構成されている。排水器の使用によって排水排出口４の下端の高さまで排水が溜まることで、別流路６が接続されている浴槽の排水口と下水管側とが通気しなくなるため、臭気の屋内側への逆流を防止する、排水トラップとしての機能を果たすことになる。
【００１３】
本発明の第一実施例は、以下に記載するように動作する。
洗い場からの排水は排水流入口３を通じて本流路へ流入し、排水排出口４より排出される。浴槽からの排水は、浴槽排水口から別流路６を通じて排水排出口４より排出される。浴槽から大量の排水がなされた場合は、別流路６内に勢いよく排水が流入し、別流路６内が満水となることがあるが、蓋部材２の内側にリブ５が設けられているため、リブ５が排水の流れを妨害することにより、排水の流れの勢いが弱まる。このため、流路が満水となると共に排水の勢いが強いことによる負圧の発生とその負圧による引き込みの発生を防止または低減し、別流路６側の封水が引き込まれるおそれがない。よって、本流路と別流路６の合流点を通じて洗い場側における本流路の封水を引き込むおそれがない。
さらに、排水の勢いを調節できるため、排水の勢いが強すぎるため排出が追いつかなくなった排水が別流路６から本流路に流入するという、逆流現象が発生するおそれがない。
また、蓋部材２の内側の排水排出口４付近上方となる位置に蓋部材２から排水排出口４の上端まで連続した下り傾斜面を有した傾斜リブ８を設けてなる。従来の排水器では、蓋部材２と受け部材１の接着を行うための接着しろ９が設けられるため、排水排出口４付近においても角張った構成となっていた。ゆえに排水が排出される際、接着部分が排水の流れに沿わない形となるため、角張った部分に空気溜まりが生じていた。この空気溜まりの空気が排水に混入することにより、排水の流れの障害となると共に、空気によるゴボゴボ音が発生する等の悪影響を及ぼしていた。
排水排出口４付近に傾斜リブ８を設けることにより、排水排出の際の排水の流れに沿う形となるため、空気溜まりが発生しない。従って、排水の流れの妨げが無くなるとともに、ゴボゴボ音等の騒音も発生しない。このため、更に良好な排水が行える。
【００１４】
次に本発明における第二実施例について説明する。本発明の第二実施例における排水器は、図５から図６に図示したように、排水流入口３から流入した排水を受け部材１で受け止め、排水排出口４より排出する働きをする排水器である。
受け部材１は上方に開口が備えられた略わん状の部材であり、受け部材の側面には排水流入口３が設けられ、排水流入口３の対面側に排水排出口４が構成される。蓋部材２は、受け部材１の上方の開口を覆うように取り付けられる。また、蓋部材２の内側には、排水流出口４付近に当たる部分に、排水排出口４に向かうにつれて徐々に幅を狭めるような略漏斗状に湾曲したリブ５aが二本設けられている。さらに、二本のリブ５aの間に、排水排出口４方向に向かって傾斜するリブ５bが複数設けられている。
【００１５】
従来は、排水流入口３から流入した排水の流れが排水排出口４方向以外へ向かうことがあった。そのため、排水が排水器の内壁等に衝突しながら方向を変え、排水の流れが乱れて乱流が発生することにより、排水の排出に時間がかかっていた。
第二実施例においては、排水流入口３から流入した排水を排水流出口４へ導くように排水排出口４へ向かう略漏斗状に湾曲した二本のリブ５aが設けられるため、排水流入口３から流入した排水を集約し排水排出口４方向に向かわせることにより、排水が短い時間で排出される。更に二本のリブ５aの間に排水排出口４へ向かって傾斜するリブ５bが設けられているため、排水流入口３から排水排出口４へ向かう排水は傾斜に沿って円滑に排出されるが、排水排出口４から排水流入口３へ向かう逆流方向の排水はリブによって制限され、
逆流のおそれが無い。これらにより、排水の流れが滞ったり、逆流したりするおそれがない。
【００１６】
尚、本発明は上記各実施例に限られるものでは無く、本発明の範囲内で自由に変更できるものである。
例えば、上記第一実施例において蓋部材２に設けられるリブ５は別流路６だけではく、本流路、または両方に設けてもよい。このように、本流路側にリブ５が設けられた場合についても同様の効果を示し、引き込みの発生を防止すると共に、本流路から別流路６に排水が流入する逆流現象を防ぐ。
更に、本流路側と別流路６側の両方にリブ５が設けられた場合は、両方の流路へ流入してきた排水の勢いを調節することができるため、両方の流路に同時に大量の排水が行われた場合でも、上記第一実施例と同様に効果を発揮し、引き込みや逆流現象を防止する。
【００１７】
また、上記第一実施例では、本流路と別流路６を設けた排水器であるが、別流路６を設けずに本流路のみの構成とした排水器でもよい。この場合でも、本流路の流路上にリブ５を設けることによって誘導サイホンの発生を防ぐことができ、さらに排水排出口４付近に傾斜リブ８を設けることによって空気溜まりが発生することを防ぐ効果を発揮する。
【００１８】
さらに、上記第一実施例では、受け部材１の中に本流路と別流路６を設けた構成であるが、本流路と別流路６を別の部材で構成してもよい。例えば、本流路の排水器と別流路６の排水器を別に備え、二つの排水器を管部材でつないでもよく、本流路上または別流路６上の一方または両方にリブ５を設けた構成としてもよい。
【００１９】
また、排水器内に別流路６が設けられている排水器において、排水排出口４に向かって排水の流れを導く湾曲リブ５や排水排出口４方向に傾斜するリブ５を、別流路６中に取付けられてもよい。これにより、別流路６において大量の排水が行われたとしても、湾曲リブ５によって乱流が起きることなく排水排出口４に導かれ円滑に排出される。さらに排水排出口４方向に傾斜するリブ５により、排水排出口４へ向かう排水は円滑に排出され、排水排出口４から別流路６における排水流入口３へ向かう逆流方向の排水は制限される。従って、別流路６内において大量の排水が行われても、素早く円滑に排水されるため、排水しきれない別流路６の排水が排水流入口３から排水流出口４へ向かう流路に流入することもなく、また、逆流方向の排水も制限されるため逆流のおそれもない。
【図面の簡単な説明】
【００２０】
【図１】本発明の第一実施例の一部切り欠きした斜視図
【図２】本発明の第一実施例の断面図
【図３】本発明の第一実施例における受け部材の平面図
【図４】本発明の第一実施例における蓋部材の平面図
【図５】本発明の第二実施例の一部切り欠きした斜視図
【図６】本発明の第二実施例における蓋部材の平面図
【図７】従来における接着しろが備えられているトラップ機能付きの排水器の断面図
【符号の説明】
【００２１】
１ 受け部材
２ 蓋部材
３ 排水流入口
４ 排水排出口
５ リブ
５a 漏斗状に湾曲したリブ
５b 排水排出口に向かって傾斜するリブ
６ 別流路
７ 接続部
８ 傾斜リブ
９ 接続しろ
【図１】
0005629857.tif 000002
【図２】
0005629857.tif 000003
【図３】
0005629857.tif 000004
【図４】
0005629857.tif 000005
【図５】
0005629857.tif 000006
【図６】
0005629857.tif 000007
【図７】
0005629857.tif 000008